(57)【要約】【課題】光源ユニットから発光される光の照射強度を、透光部の厚みを変えることで制御する照明装置を提供する。【解決手段】電源部を収納する筒状の装置本体２０と、前記装置本体２０に設けられる光源ユニット５０と、前記装置本体２０から延設される、前記光源ユニット５０から発光される光を透過する照射部１０と、を有し、前記照射部１０は、中空かつ先端凸状の第１透光部１１と、当該第１透光部１１と一体に連接されて前記装置本体２０に延設される中空筒状の第２透光部１２を有し、前記第１透光部１１の厚みが、前記第２透光部１２の厚みよりも薄い、照明装置である。【選択図】図１
2016181441.tif 000002
【特許請求の範囲】
【請求項１】
電源部を収納する筒状の装置本体と、
前記装置本体に設けられる光源ユニットと、
前記装置本体から延設される、前記光源ユニットから発光される光を透過する照射部と、を有し、
前記照射部は、中空かつ先端凸状の第１透光部と、当該第１透光部と一体に連接されて前記装置本体に延設される中空筒状の第２透光部を有し、
前記第１透光部の厚みが、前記第２透光部の厚みよりも薄い、照明装置。
【請求項２】
前記第１透光部が部分球形状であって、当該部分球形状の先端部の厚みが、当該先端部以外の厚みよりも薄い、請求項１に記載の照明装置。
【請求項３】
前記第１透光部が部分球形状であって、前記第１透光部の厚みは、当該部分球形状の先端部に近づくにつれ薄くなる、請求項１または２に記載の照明装置。
【請求項４】
前記照射部は、光拡散剤を含む材料で構成されている、請求項１〜３のいずれか１項に記載の照明装置。
【請求項５】
前記光源ユニットに設けられる発光素子と前記第１透光部の先端部とを結ぶラインと、当該発光素子の主照射方向ラインとが異なる、請求項１〜４のいずれか１項に記載の照明装置。
【請求項６】
前記光源ユニットに設けられる発光素子と当該発光素子の主照射方向の前記第１透光部の内面とを結ぶラインが、当該内面に対し鋭角に交差する、請求項１〜５のいずれか１項に記載の照明装置。
【請求項７】
前記光源ユニットに設けられる発光素子のうち２以上の主照射方向が、当該光源ユニットの一部を構成する基板面に対し垂直方向に構成され、当該主照射方向のラインから外れた位置に前記第１透光部の先端部がある、請求項１〜６のいずれか１項に記載の照明装置。
【請求項８】
前記光源ユニットに設けられる発光素子のうち２以上が、水平設置された前記装置本体の垂直中心ラインを基準に対称的に配置され、かつ当該垂直中心ライン上に前記第１透光部の先端部が存在する、請求項１〜７のいずれか１項に記載の照明装置。
【請求項９】
前記光源ユニットは、前記第１透光部の先端部に対し垂直下方に、明暗を検知する照度検知部が設けられる、請求項１〜８のいずれか１項に記載の照明装置。
【請求項１０】
前記装置本体に、動作を検知する複数の検知部が設けられる、請求項１〜９のいずれか１項に記載の照明装置。
【請求項１１】
前記装置本体の側面に、動作を検知する第１検知部と、当該第１検知部の検知範囲と部分的に重なる検知範囲を有する、動作を検知する第２検知部とが設けられ、
一方の検知部の検知範囲中心ライン上の遠近方向の動きが、他方の検知部で検知可能に構成される、請求項１〜９のいずれか１項に記載の照明装置。
【発明の詳細な説明】
【技術分野】
【０００１】
本発明は、照明装置に関し、例えば、自立型照明装置、庭用照明装置、通路に設置される照明装置、表示用の照明装置に関する。
【背景技術】
【０００２】
透光カバーの透過率を低くするとともに断面形状を縦長半楕円とすることで、側面方向に強い光度を出すことができる電球型の照明装置がある（例えば、特許文献１参照）。
【先行技術文献】
【特許文献】
【０００３】
【特許文献１】特開２０１３−３３７２５号公報
【発明の概要】
【発明が解決しようとする課題】
【０００４】
上記特許文献１の照明装置は、透光カバーの透過率を制限することで、側面方向への照射強度を調整しているものであり、透光カバーの厚さ等の形状を利用することで、照射強度を制御するものではない。
【０００５】
本発明は、光源ユニットから発光される光の照射強度を、透光部の厚みを変えることで制御する照明装置を提供することを目的とする。
【課題を解決するための手段】
【０００６】
本発明に係る照明装置は、電源部を収納する筒状の装置本体と、
前記装置本体に設けられる光源ユニットと、
前記装置本体から延設される、前記光源ユニットから発光される光を透過する照射部と、を有し、
前記照射部は、中空かつ先端凸状の第１透光部と、当該第１透光部と一体に連接されて前記装置本体に延設される中空筒状の第２透光部を有し、
前記第１透光部の厚みが、前記第２透光部の厚みよりも薄い構成である。
【０００７】
この構成によれば、光源ユニットから発光される光の照射強度を、透光部の厚みを変えることで効果的に制御することができる。第１透光部から照射される光の強度が、第２透光部から照射される光の強度よりも高い構成である。照明装置を平面に立設した場合に、装置本体が下部に位置し、第１透光部が最も上部に位置することで、天方向に向かう光照射が強く、斜め上方向、側面方向、装置斜め下方向の光照射がそれよりも弱くなる照明装置を構成できる。
【０００８】
上記発明の一実施形態として、第１透光部は、例えば、砲弾型、縦断面が放物状、真球の半球などが挙げられる。
【０００９】
上記発明の一実施形態として、第１透光部の全てあるいは８０％以上が、光源ユニットに実装されるＬＥＤ発光素子の発光出力が半分以上となる領域内に配置される。第２透光部の全部あるいは８０％以上が、ＬＥＤ発光素子の発光出力が半分未満となる領域内に配置されることが好ましい。
【００１０】
上記発明の一実施形態として、第１透光部と第２透光部は、同じ透光材料で構成されている。また、第１透光部と第２透光部は、一体成型で構成されることが好ましい。透光材料としては、例えば、ＰＣ（ポリカーボネイト）、ＰＭＭＡ（アクリル）、ＰＰ（ポリプ
ロピレン、ＰＥ（ポリエチレン）、ＰＳ（ポリスチレン）などが挙げられる。透光材料には、従来の各種添加物が配合されていてもよい。
【００１１】
上記発明の一実施形態として、光源ユニットが装置本体の上部で、かつ照射部の下部に配置される。
【００１２】
上記発明の一実施形態として、前記第１透光部が部分球形状であって、当該部分球形状の先端部の厚みが、当該先端部以外の厚みよりも薄い構成である。
【００１３】
この構成によれば、先端部における照射強度を最も高くできる。
【００１４】
上記発明の一実施形態として、前記第１透光部が部分球形状であって、前記第１透光部の厚みは、当該部分球形状の先端部に近づくにつれ薄くなる構成である。
【００１５】
この構成によれば、照射部の先端に向かう程、光の照射強度を高くできる。
【００１６】
上記発明の一実施形態として、前記照射部は、光拡散剤を含む材料で構成されている。
【００１７】
この構成によれば、光源ユニットからの光を照射部の光拡散剤で効果的に拡散できる。光拡散剤としては、例えば、酸化チタン、炭酸カルシウム、ガラスフィラー、ガラスビーズなどが挙げられる。
【００１８】
上記発明の一実施形態として、前記光源ユニットに設けられる発光素子と前記第１透光部の先端部とを結ぶラインと、当該発光素子の主照射方向ラインとが異なる構成である。
【００１９】
上記発明の一実施形態として、前記光源ユニットに設けられる発光素子と当該発光素子の主照射方向の前記第１透光部の内面とを結ぶラインが、当該内面に対し鋭角に交差する構成である。また、上記発明の一実施形態として、主照射方向が内面に対し非垂直に構成される。
【００２０】
上記発明の一実施形態として、前記光源ユニットに設けられる発光素子のうち２以上の主照射方向が、当該光源ユニットの一部を構成する基板面に対し垂直方向に構成され、当該主照射方向のラインから外れた位置に前記第１透光部の先端部がある構成である。
【００２１】
上記発明の一実施形態として、前記光源ユニットに設けられる発光素子のうち２以上が、水平設置された前記装置本体の垂直中心ラインを基準に対称的に配置され、かつ当該垂直中心ライン上に前記第１透光部の先端部が存在する構成である。
【００２２】
この構成によれば、第１透光部の先端部に対し垂直に発光素子から出る光が入射しないように構成することで、先端部から出る光照射強度を制御できる。
【００２３】
上記発明の一実施形態として、前記光源ユニットは、前記第１透光部の先端部に対し垂直下方に、明暗を検知する照度検知部が設けられる構成である。照度検知部の検知結果に基づいて電源部から電力が光源ユニットに供給される構成であることが好ましい。
【００２４】
この構成によれば、第１透光部の先端部と検知エリアの中心ラインが直線で結ばれるため、明暗を精度よく検知できる。
【００２５】
上記発明の一実施形態として、前記装置本体に、動作を検知する複数の検知部が設けられる。照度検知部の検知結果および検知部の検知結果に基づいて電源部から電力が光源ユニットに供給される構成であることが好ましい。
【００２６】
この構成によれば、複数の検知部によって、人等の動きを精度良く検知できる。
【００２７】
上記発明の一実施形態として、前記装置本体に、人を検知する検知部が設けられる。検知部としては、モーションセンサ、熱検知人感センサ、赤外センサ、超音波センサ、ドップラセンサ、可視光センサなどが挙げられる。
【００２８】
上記発明の一実施形態として、前記装置本体の側面に、動作を検知する第１検知部と、当該第１検知部の検知範囲と部分的に重なる検知範囲を有する、動作を検知する第２検知部とが設けられ、
一方の検知部の検知範囲中心ライン上の遠近方向の動きが、他方の検知部で検知可能に構成される。
【００２９】
この構成によれば、一方の検知部で他方の検知部の検知漏れを補うように検知できることで、人等の動きを確実に検知できる。また、第１、第２検知部の検知エリア中心ライン同士で形成される角度は、例えば６０度〜１２０度である。
【００３０】
上記発明の一実施形態として、検知部（上記複数の検知部、第１検知部、第２検知部）は、装置本体下端から所定の高さ（ｈ）に設置されることが好ましい。高さ（ｈ）は、３ｃｍ以上、５ｃｍ以上、８ｃｍ以上が好ましい。照明装置を屋外に設置する場合に、低草、落ち葉などが障害にならない程度の高さ（ｈ）、あるいは雨の飛び跳ねによる泥付着を低減できる程度の高さ（ｈ）に設定する。
【００３１】
上記発明の一実施形態として、装置本体が立設する方向と平行に電池を収納する電池収納部が装置本体内であって、照明装置の下部に設けられる。この構成によれば、重量のある電池を照明装置の下部に配置することで、安定した自立が可能になる。
【００３２】
上記発明の一実施形態として、照明装置の電源としては、例えば、円筒状の乾電池、ボタン電池が挙げられる。
【００３３】
上記発明の一実施形態として、光源ユニットは、例えば、単一または複数の点光源、単一または複数の面光源、それらの組み合せで構成される。点光源としては、例えばＬＥＤ発光素子が挙げられる。ＬＥＤとしては、例えばシングルチップの砲弾型と表面実装型、マルチチップの表面実装型が挙げられる。
【００３４】
上記発明の一実施形態として、装置本体内に他の照明装置として必要な要素、例えば、光源ユニット基板、電源回路基板、センサ回路基板が収納される。
【図面の簡単な説明】
【００３５】
【図１】実施形態１の照明装置の正面図である。
【図２】図１のＡ−Ａ断面図である。
【図３】図１のＢ−Ｂ断面図である。
【発明を実施するための形態】
【００３６】
（実施形態１）
実施形態１の照明装置１について図面を参照しながら説明する。図１は照明装置１の正面図、図２はＡ−Ａ断面図、図３はＢ−Ｂ断面図である。照明装置１の外観は、砲弾形状である。
【００３７】
（装置本体）
装置本体２０は、円筒状であり立設する自立型の照明装置である。装置本体２０は、電池収納部２１、電池蓋２２を内部に配置する。装置本体２０の上部に光源ユニット５０が配置される。装置本体２０の側面に第１人感センサ３１、第２人感センサ３２が設置される。装置本体２０内には、不図示の電源回路基板（電池と共に電源部を構成する）、センサ回路基板などが配置される。
【００３８】
装置本体２０の内部に電池収納部２１が設けられている。電池収納部２１は、装置本体２０が立設する方向と平行に４本の乾電池４１を収納し、ネジ式の電池蓋２２で乾電池４１を電池収納部２１の内部方向に押し当て固定する。電池蓋２１は、装置本体２０の内面に沿って配置された不図示のリング状パッキンと当接されており、防水性を確保している。
【００３９】
（照射部）
筒状の装置本体２０から照射部１１が延設されている。照射部１１は、中空で部分球形状の第１透光部１１と、第１透光部１１と一体成型された中空筒状の第２透光部１２を有する。第１透光部１１の厚みが、第２透光部１２の厚みよりも薄い。
【００４０】
第１透光部１１は、その部分球形状の先端部１１１に近づくにつれ厚みが薄くなる。先端部の厚みｔｔｏｐが、第１透光部１１の基端部の厚みｔｂａｓｅよりも薄く、基端部から先端に向かって厚みが漸減する構成である。
【００４１】
第１透光部１１が、光源ユニット５０に実装されるＬＥＤ発光素子の発光出力が半分以上となる領域内に配置され、第２透光部１２が、ＬＥＤ発光素子の発光出力が半分未満となる領域内に相対的に配置される。本実施形態においてＬＥＤ発光素子の発光照射角度は所定値（例えば、１２０度）であり、この発光照射角度の範囲内に第１透光部１１が配置される。
【００４２】
照射部１０の第１透光部１１と第２透光部１２は、同じ透光材料で構成されており、光拡散剤を含む。本実施形態１では、同じ透光材料および光拡散剤で照射部１１を構成し、照射部１１の厚みを変更することで照射部１１の光照射強度を設定する。
【００４３】
（光源ユニット）
光源ユニット５０の基板には、ＬＥＤ発光素子５１〜５４が、水平設置された装置本体２０の垂直中心ラインを基準に対称的に実装されている。そして、水平設置された装置本体２０の垂直中心ライン上に第１透光部１１の先端部１１１がある。第１透光部１１の先端部１１１に対し垂直下方に、明暗を検知する照度センサ５５が光源ユニット５０の基板に実装される。
【００４４】
（人感センサ）
第１人感センサ３１、第２人感センサ３２は、装置本体２０の下端から所定の高さ（ｈ）に設置される。本実施形態において、第１、第２検知部３１、３２の検知エリア中心ライン同士で形成される角度は９０度である。一方の検知部の検知範囲中心ライン上の遠近方向の動きが、他方の検知部で検知可能に設定される。
【００４５】
不図示の電源回路基板、不図示のセンサ回路基板、不図示のＬＥＤ駆動回路、光源ユニット５０が電気的接続されている。センサ回路基板には、第１人感センサ４１、第２人感センサ４２が電気的に接続されている。第１人感センサ４１および／または第２人感センサ４２が人を検知した場合、かつ照度センサ５５が閾値以下の照度を検知した場合に、電源ユニット（不図示）から直流電流が光源ユニット５０へ供給されて、ＬＥＤ駆動回路がＬＥＤ発光素子５１〜５４を点灯させる。
【００４６】
（別実施形態）
上記実施形態において照射装置は砲弾形状であったが、これに制限されない。また、照射部１０の第１透光部１１は部分球形状であったが、これに制限されない。
【００４７】
上記実施形態において装置本体２０の側面に第１、第２人感センサ３１、３２が設けられているが、これに制限されず、例えば、１つでもよく３つ以上の人感センサまたは各種検知部が設けられていてもよい。
【００４８】
上記実施形態において第１透光部１１の先端部１１１の垂直下方に照度センサ５５が設けられているが、これに制限されず、例えば、照度センサが装置本体の側面に設けられていてもよい。また、第１透光部１１の先端部１１１の垂直下方に、ＬＥＤ発光素子が実装されていてもよい。
【符号の説明】
【００４９】
１      照明装置
１０    照射部
１１    第１透光部
１２    第２透光部
２０    装置本体
２１    電池収納部
２２    電池蓋
３１    第１人感センサ
３２    第２人感センサ
４１    乾電池
５０    光源ユニット
５１、５２、５３、５４  ＬＥＤ発光素子
５５    照度センサ
１１１  先端部
【図１】
2016181441.tif 000003
【図２】
2016181441.tif 000004
【図３】
2016181441.tif 000005